(57)【要約】【課題】長尺体を取付対象物に係脱自由に固定するための長尺体固定具で、長尺体の本数の増減や太さの違いに影響されることなく、長尺体の一本一本を確実に挟んで固定保持することができ、長尺体固定具の外寸やロックの状態は変化なく使用できるものを提供する。【解決手段】  電線等の長尺体を保持するための、内側が凹状の略円弧状に形成された保持部と、該保持部を取り付け対象物に取り付けるための固定手段と、該保持部から延設して薄肉状に形成されたヒンジ部を介して一体に形成されたフタ部とを備えた長尺体保持具であって、該フタ部から分岐して一体形成された弾性押圧片を一または複数箇所備え、該弾性押圧片は前記保持部に向かって凸状に略円弧を描いた形状に形成されている。【選択図】  図１
2006187095.tif 000002
【特許請求の範囲】
【請求項１】
電線等の長尺体を保持するための、内側が凹状の略円弧状に形成された保持部と、該保持部を取り付け対象物に取り付けるための固定手段と、該保持部から延設して薄肉状に形成されたヒンジ部を介して一体に形成されたフタ部とを備えた長尺体固定具であって、該フタ部から分岐して一体形成された弾性押圧片を一または複数箇所備え、該弾性押圧片は前記保持部に向かって凸状に略円弧を描いた形状に形成されていることを特徴とした長尺体固定具。
【請求項２】
前記長尺体固定具の保持部の内側には、該保持部の長手方向に長い畝状で、断面が略アーチ形状に隆起した第一凸部が形成されていることを特徴とする、請求項１に記載の長尺体固定具。
【請求項３】
前記長尺体固定具は、前記フタ部を保持部にロックした際に、フタ部の弾性押圧片と弾性押圧片との間に、前記保持部の第一凸部が入るよう形成されていることを特徴とする、請求項１または２に記載の長尺体固定具。
【請求項４】
前記長尺体固定具は、フタ部の自由端にフタ部を前記保持部に係脱自在に係止させるための、開閉操作片がフタ部と一体に延設されており、該開閉操作片は弾性屈曲部を頂点とする略Ｖ字状に形成され、該開閉操作片の自由端付近には鉤型状に形成された係合部が、開閉操作片のフタ部との付け根部分には係止凸部が形成され、
かつ前記保持部には前記開閉操作片が入り込む形状の挿入口が設けられており、さらに該挿入口の、前記係合部が係止する係止部は略円弧状に形成されていて、該挿入口には、該該係止凸部と嵌合する係止凹部が形成されていることを特徴とする、請求項１から３のいずれかに記載の長尺体固定具。
【請求項５】
前記長尺体固定具は、前記フタ部（の端）に薄板状のリブが形成され、前記保持部には該リブが嵌合する溝が形成されていることを特徴とする、請求項１から４のいずれかに記載の長尺体固定具。
【請求項６】
前記フタ部の内側に、該フタ部の長手方向と略平行な畝状に、断面が略アーチ形状にふくらんだ第二凸部が形成され、該第二凸部はその中央付近から分岐してフタ部の短手方向と略平行な畝状の、断面が略アーチ形状にふくらんだ形状に形成されていることを特徴とする請求項１から５のいずれかに記載の長尺体固定具。
【発明の詳細な説明】
【技術分野】
【０００１】
本発明は電線等の長尺体を板状の取り付け対象物に固定するための長尺体固定具に関し、特に保持する長尺体の本数の増減や太さの違いに影響されることなく、長尺体を保持する部分の形状を調節して目的の長尺体一本一本を挟んで押さえつけた状態で安定的に保持し、必要な時には長尺体の固定を解除することも可能な長尺体固定具に関する。
【背景技術】
【０００２】
電気機器類や自動車等の内部には、電線やケーブルなどの長尺体が多数配されている。製造や点検、修理の際に作業がしやすいよう、また、電気機器類の通常動作の際に、電線、等の長尺体が他の部品に当たり擦れて傷ついたり、不用意に引っ張られて外れたりすることのないよう、これら長尺体類を整理して束ね、パネルや基板等の取り付け対象物に留めつけるための固定具がいろいろと考案されている。例えば、実用新案登録公報第２５４４６８６号に開示される留め具のような、取り付け部の一端部に肉薄のヒンジ部を介して折り曲げ自由な押圧挟持片を延設する一方、取り付け部の他端部に押圧挟持片の揺動軌跡の円弧に沿って弧状の係止片を立設すると共に、上記押圧挟持片の自由端部には係止片を受け入れる空部を備えた倒Ｕ字形断面形の係止部を設けて該係止部と係止片の係合によりロックし、前記取り付け基板と押圧挟持片との間に１本〜複数本のコード類等の線状物（長尺体）を締め付け状態にて保持し、取り付け対象物に留め付けられるようにした線状物の留め具などがある。
【特許文献１】実用新案登録公報第２５４４６８６号
【発明の開示】
【発明が解決しようとする課題】
【０００３】
上記のような留め具は、保持したい長尺体（線状物）によって太さの違いや本数の増減があっても、係止部の係止爪と係止片の係止爪をかみ合わせる距離を変化させることにより、長尺体や線状物を保持する部分、つまり押圧挟持片と取り付け基板の内側同士が常に個々の長尺体に接した状態で長尺体を挟んで固定するので、保持している長尺体が不用意に動くことが無く、安定して保持できる。
【０００４】
しかしながら、この留め具は長尺体を保持する部分のヒンジ部分に長尺体をかみこんでしまった場合に、ヒンジ部分が希望する角度まで折り曲がらなくなる。例えば、太さの違う複数本の長尺体を保持しようとした場合、ヒンジ近くに太い長尺体を配してしまうと、他の細い長尺体は押圧挟持片の内側に接しないため、押圧挟持片と取り付け基板とで挟んで固定することができず、細い長尺体が保持部つまり押圧挟持片と取り付け基板との間で遊んでしまうという欠点があった。
【０００５】
また、前記従来例の留め具は、図１４にて簡単な説明図を示すが、係止部６５の倒Ｕ字部分内側の空部６７に長尺体７１が入り込んでしまった場合には、係止片６４が係止部６５の倒Ｕ字部分内側の空部６７に完全に入りきらないため、押圧挟持片６２が長尺体に接していない状態になり、押圧挟持片６２が完全には長尺体７１を押えて固定することができず、長尺体７１が保持部内で遊んでしまうという欠点もあった。
【０００６】
前記係止部６５の係止爪６９と係止片６４の係止爪６６をかみ合わせてロックする位置は、長尺体７１の本数の増減に対応できるよう、係止爪６６と係止爪６９がかみ合わせ可能な部分の長さ、つまりは係止爪６６の爪の数に、ある程度余裕を持たせて形成されている。長尺体７１の本数が少ない場合は、係止部６５内の奥まで係止片６４を深く挿入し、互いの係止爪同士をかみ合わせてロックし、長尺体７１の本数が多い場合は、押圧挟持片６２と取り付け基板６１との間が広くあくように係止部５６内に係止片６４を浅く挿入し、互いの係止爪同士をかみ合わせてロック状態にする。
しかし、この従来例の留め具はロック部分、つまり係止部５６と係止片６４の係止爪同士のかみ合わせ部分が多段になっているため、作業者によってロック状態に差が生じる。たとえば、長尺体７１をしっかりと留め具に挟持させようと思うあまり、無理やり上記係止部６５内の奥まで係止片６４を深く挿入して、きつく長尺体を固定する作業者もおり、こうすると長尺体７１が電線の場合には、押圧挟持片６２と取り付け基板６１のエッジ部分によって電線の被覆を傷つけてしまうことがあった。
【０００７】
その反対に、長尺体７１の本数が少ない場合に、作業者が係止部６５の係止爪６９の自由端側先端部と係止片６４の係止爪６６の自由端側先端部をほんの少しかみ合わせて、つまり係止片６４を係止部６５に浅く入れてロックさせたときにも、長尺体の挟持、固定が完了したと勘違いをしてしまい、実際には、長尺体７１は保持部内側（押圧挟持片６２と取り付け基板６１の間）にあるだけで押さえられてはおらず、きちんと固定されていない場合がある。これでは本来の目的を達していない。このような事態を防ぐため、長尺体がきちんと挟持された状態で固定されているかどうかをいちいち確認しなければならないので作業効率が良くなかった。
【０００８】
また、複数の長尺体７１同士を重なった状態で押圧挟持片６２と取り付け基板６１の間に挟持し、後に長尺体７１が何らかの外力によって引っ張られ、挟持直後の状態が崩れ、長尺体７１の重なり部分がバラバラになってしまうと、もはや押圧挟持片６２と取り付け基板６１は長尺体７１を押さえていない状態になり、長尺体７１をガッチリ固定できない。さらに、長尺体７１を保持部、つまり押圧挟持片６２と取り付け基板６１がきちんと押圧して挟持している場合でも、平らな2枚の板状のもの（押圧挟持片６２と取り付け基板６１）に長尺体７１をただ挟んで押さえているだけなので、長尺体７１がその軸方向（長手方向）や斜め方向に引っ張られた場合、押圧挟持片６２と取り付け基板６１の間で長尺体７１が滑ってしまい、長尺体７１を固定できないという欠点もあった。
【０００９】
そこで、本発明に係る長尺体固定具は、上記の問題を解決するため、配設される電線等、線状の長尺体を、取り付け対象物に安定的に、かつ係脱自由に固定できるようにした長尺体固定具を提供することを目的としたもので、特に、一本の長尺体でも、複数本の長尺体でも、本数の増減や太さの違いに影響されることなく、長尺体の一本一本を確実に挟み込んで固定保持することができ、長尺体固定具の外寸やロックの状態は変化なく使用できるもので、かつ小型に形成したものを提供する。
【課題を解決するための手段】
【００１０】
本発明実施例にかかる長尺体固定具は、電線等の長尺体を保持するための、内側が凹状の略円弧状に形成された保持部と、該保持部を取り付け対象物に取り付けるための固定手段である固定脚部と、該保持部から延設して薄肉状に形成されたヒンジ部を介して一体に形成されたフタ部とを備え、該フタ部から分岐して一体形成された弾性押圧片を一または複数箇所備え、該弾性押圧片は前記保持部に向かって凸状に略円弧を描いた形状に形成されており、
該長尺体固定具の保持部の内側には、該保持部の長手方向に長い畝状で、断面が略アーチ形状に隆起した第一凸部が形成されている。
また、該長尺体固定具は、前記フタ部を保持部にロックした際に、フタ部の弾性押圧片と弾性押圧片との間に、前記保持部の第一凸部が入るよう形成されていて、
かつ、フタ部の自由端にフタ部を前記保持部に係脱自在に係止させるための、開閉操作片がフタ部と一体に延設されており、該開閉操作片は弾性屈曲部を頂点とする略Ｖ字状に形成され、該開閉操作片の自由端付近には鉤型状に形成された係合部が、開閉操作片のフタ部との付け根部分には係止凸部が形成され、
かつ前記保持部には前記開閉操作片が入り込む形状の挿入口が設けられており、さらに該挿入口の、前記係合部が係止する係止部は略円弧状に形成されていて、該挿入口には、該フタ部の開閉操該係止凸部と嵌合する係止凹部が形成されている。
該フタ部（の端）に薄板状のリブが形成され、前記保持部には該リブが嵌合する溝が形成されている。
該フタ部の内側に、該フタ部の長手方向と略平行な畝状に、断面が略アーチ形状にふくらんだ第二凸部が形成され、該第二凸部はその中央付近から分岐してフタ部の短手方向と略平行な畝状の、断面が略アーチ形状にふくらんだ形状に形成されている。
【発明の効果】
【００１１】
従来例の留め具は多数本の長尺体を保持するときに、ヒンジ部分に長尺体をかみこんだりしてしまった場合に、ヒンジ部分が希望する角度まで折り曲がらなくなる。こうなると、他の長尺体の何本かは保持部内側の長尺体を押圧するための部分（押圧挟持片）に完全には接しないため、保持部は長尺体を挟んで押さえることができず、長尺体が保持部内部で遊んでしまうという欠点があった。しかし請求項１、２に記載の発明によれば、本発明実施例にかかる長尺体固定具１は、弾性押圧片９が保持部方向に向かって凸状の略アーチ形状に形成されているので、長尺体がヒンジ部分に配されてしまった場合も、フタ部をしめる方向へ動かすにつれて、ヒンジ部の内側（弾性押圧片と保持部の第一凸部との隙間）の空間がだんだん狭くなるため、長尺体は弾性押圧片に押されて、凹状の略円弧状に形成された保持部の内側のカーブに沿って移動し、最終的には弾性押圧片と保持部との間で長尺体をきちんと挟持できる位置へと移動する。このように、フタ部を閉めると長尺体が保持部の内側のカーブに沿って移動し、長尺体を挟持するに一番良い場所へ移動するように形成しているので、本発明実施例にかかる長尺体固定具は、ヒンジ部分に長尺体をヒンジ部分にかみこんでしまうこともなく、多数本の長尺体を確実に挟持することができる。
【００１２】
請求項１、２、３に記載の発明によれば、本発明実施例にかかる長尺体固定具１が、長尺体１８を挟持しているとき、弾性押圧片９、９は保持部６本体部分内側に長尺体１８を押さえつけ、かつ、保持部６内側の中央には、図２や図６に示すように、略アーチ状に盛り上がった第一凸部７が保持部の長手方向と平行に畝状に形成されているので、挟持されている長尺体１８は図６に示すように、その長手方向に対して垂直方向から見ると、弾性押圧片９、９の間に入った部分が略アーチ形状を描いた状態で長尺体固定具１に挟持される。これにより、何らかの外力が加わるなどして長尺体１８が軸方向（長尺体の長手方向）へ引っ張られたとしても、長尺体１８の略アーチ形状になっている部分が、弾性押圧片９と９の間にひっかかるため、長尺体１８が軸方向（長手方向）へ滑ってずれることを防止できる。
その上、弾性押圧片９、９は、長尺体１８を押圧していることによって、該長尺体１８の断面積分、弾性押圧片９、９のアーチ形状がフタ部６側方向と、外側方向（図６に示す矢印Ｇ方向）へ、わずかにたわんで変形するが、長尺体固定具１本体材料の合成樹脂等の性質である弾性復元力により、元のアーチ形状に戻ろうとする力が働くため、長尺体１８には弾性押圧片９、９より常に矢印Ｇの逆方向へと押さえつける力が加わる。以上により、何らかの外力が加わるなどして長尺体１８が軸方向（長尺体の長手方向）などへ引っ張られたとしても、長尺体１８は、弾性押圧片９、９に常に押圧状態にて挟持されているため、長尺体１８が滑ってずれることを防止できる。
【００１３】
請求項１、２、３に記載の発明によれば、弾性押圧片と保持部の、長尺体を挟持するための部分は略円弧状に形成されているので、ロック時に長尺体を押圧して挟持する力は、どの位置で挟持したとしても均一である。
保持する長尺体の本数が増えた場合は、上記と同様、弾性押圧片が保持部の本体部分内側に長尺体を押圧するが、弾性押圧片は他の部分よりも比較的薄肉状に形成されているため、フタ部本体側へと撓んで曲がりやすくなっている。挟持する長尺体の本数に合わせて弾性押圧片の撓み具合が変化するので、弾性押圧片は長尺体１８に圧接し、弾性押圧片９に接していない長尺体は、弾性押圧片に圧接されている長尺体によって圧接されている状態となる。よって多数本の長尺体も確実に弾性押圧片と保持部本体との間に挟持して確実に固定することができる。
【００１４】
請求項１、２、３に記載の発明によれば、本発明実施例にかかる長尺体固定具の、保持部に形成された第一凸部７や、フタ部に形成された第二凸部１０は、角やエッジを無くして略アーチ形状に形成してある。また、保持部５や弾性押圧片９、９、リブ２０のエッジ部分は、角を削いで面取りし、丸みをつけた形状になっている。以上により、本発明実施例の長尺体固定具に電線等の長尺体を挟持しても、電線等の長尺体の絶縁被覆に傷をつけたり、電線自体をきつく折り曲げて断線させてしまったりすることがない。
【００１５】
請求項１、２、５に記載の発明によれば、本発明実施例に係る長尺体固定具は、フタ部の内側の、開閉操作片１１と第二凸部１０との間に薄板状のリブ２０が形成されており、保持部本体５の第一凸部７の端部には、該リブ２０が入り込む形状に、溝２１が切られている。長尺体固定具１をロック状態、つまり、開閉操作片１１の弾性屈曲部１３を挿入口１６に入れ、係合部１２を係止部１７に係止させた状態にすると、該リブ２０は、溝２１に入り込む。これにより、長尺体１８が挿入口１６または開閉操作片１１近くに配されてしまった時には、フタ部６を閉める方向へ動かすと、長尺体はリブ２０によって、保持部５の中央付近に向かって押されて、次に弾性押圧片９に押され、凹状の略円弧状に形成された保持部５の内側のカーブに沿って移動し、最終的には弾性押圧片９と保持部５との間で長尺体をきちんと挟持できる位置へと移動する。よって、本発明実施例にかかる長尺体固定具は、開閉操作片１１付近に長尺体をかみこんでしまうこともなく、多数本の長尺体を確実に挟持することができる。
【００１６】
さらに、リブ２０は側面を単なる直線に形成した薄板状でも用を成すが、本発明の別の実施例（図１５〜図１７）ではリブ２０の側面をアール形状に形成したため、リブ２０と第一凸部７にて長尺体１８をかみ込んでしまうことなく、長尺体を保持するのに一番良い位置までスムーズに移動させる上、アール形状は電線へのあたりが滑らかなので、電線を傷つける恐れがない。
【００１７】
図１４に示すように、従来例の留め具６０は、ロック部分（係止部６５と係止片６４のかみ合わせ）が多段になっていて、どこの位置でも係止してしまうという欠点があった。例えば、作業者が係止部６５内側の空部６７に係止片６４を浅く挿入し、係止部６５の係止爪６９の自由端側先端部と係止片６４の係止爪６６の自由端側先端部をほんの少しかみ合わせてロックさせ、長尺体７１の固定が完了したと勘違いをしてしまい、実際には、長尺体７１は留め具６０の内側にあるだけで、きちんと固定されていない場合があった。これを防止するにはいちいち長尺体が固定されているかどうかを確認する必要があり効率が悪かったが、請求項４に記載の発明によれば、本発明実施例にかかる長尺体固定具のロック位置は不変で、フタ部の係止部１２を保持部挿入口の係止部１７に係止させてロック状態にする際、カチッというクリック音が発生し、開閉操作片１１を操作している作業者の手指にも節度感が感じられるので、作業者はロック作業終了を音と節度感にて感知することができる。係止部同士がロック状態となったときは、長尺体を確実に押えた状態になるため、クリック音がしたら、長尺体は押えられたことになり、音と手指の感覚によって作業終了を感じることができ、確認作業が不要となった。よって作業効率が格段に良くなった。
【００１８】
請求項４に記載の発明によると、本発明実施例にかかる長尺体固定具の、保持部の挿入口の端に形成された係止部１７は、略アーチ形状に形成されているため、フタ部をロックしている状態（つまり、挿入口内に開閉操作片を挿入して、係止部１７に係合部１２を係止させている状態）の時に開閉操作片との間にわずかに隙間ができる。この隙間にドライバー等の一般工具を差し込んで、開閉操作片をフタ部側へ押して係止部１７と開閉操作片の係合部１２の係止（ロック）状態を解除できる。電気機器内など人間の手指が入らない狭い場所に長尺体固定具や留め具等を設置した場合、一般的な従来品などは、開閉操作片に相当する部分の横から工具を当て、そのまま工具を横（フタ部側）方向に押すことでロック部分の係止解除をするが、ロック部分の係止解除をしようとしても、工具が滑ってしまい解除が難しかった。また、解除しやすくするためには開閉操作片に相当する部分を大きく形成したりする必要があった。しかし本発明の長尺体固定具は、工具を前記隙間部分に差し込むと、工具は係止部１７に当接した状態で安定させてから、開閉操作片１１をフタ部側へ押せば良い。これにより、僅かな力でロック解除が簡単に可能な上、形状もかさ張らずコンパクトに形成できたため大変使い勝手が良くなった。
【００１９】
そして、請求項４の発明によれば、本発明実施例にかかる長尺体固定具１の、開閉操作片１１の付け根部分には係止凸部２３が形成されていて、挿入口１６の保持部５側には、係止凹部２４が、係止凸部２３と嵌合する窪み形状に形成されていて、この係止凹部２４には、フタ部６の開閉操作片１１に形成された係止凸部２３、２３が引っかかり係止する。
もし係止凸部２３と係止凹部２４が形成されていない場合は、長尺体固定具が多数本の長尺体を挟持した際に、弾性押圧片がフタ部側へとたわんだだけでは対応しきれずにヒンジ部８が伸びて、フタ部が（図１７に示す）矢印Ｈ方向へと押されてしまい、開閉操作片の、弾性屈曲部１３のＶ字部分内側（矢印２６側）の角度が狭くなり、係合部１２と係止部１７の係止を解除する際に、弾性屈曲部１３がたわむことができる距離が少なくなるため、係止している部分が外れるに必要なゆとりがなくなり係止解除がしづらい、という問題がおきる。しかし、本発明実施例にかかる長尺体固定具は、上記係止凸部２３と係止凹部２４が形成されているため、多数本の長尺体を長尺体固定具に挟持させフタ部をロックした場合でも、係止凸部２３が係止凹部２４に引っかかり係止するので、フタ部は矢印Ｈ方向へは動かない。よって弾性屈曲部１３のＶ字部分内側（矢印２６部分）の角度は変わらず、係止している部分（係合部１２と係止部１７）が外れる際に必要なゆとりがあるため、解除も通常時と変わらずスムーズに操作可能である。
【００２０】
本発明実施例にかかる長尺体固定具は、上記従来例の留め具等と比較してコンパクトに形成してあり、同じ本数の長尺体を保持した場合にもかさばらないので、電気機器等の内部など狭い場所にも使用することができ、邪魔にならない。
【００２１】
また、保持する長尺体の本数の増減があったとしても、長尺体は保持部とフタ部の間の空間部分にて挟持し、本数の増減分は弾性押圧片のたわみの強弱によって対応し、保持部とフタ部のロック時、係止部１７と開閉操作片の係合部１２の係止位置は変わらないので、長尺体固定具の外寸も変化しない。よって、前記従来例の留め具のように、係止位置が多段式であるために狭い場所に設置して多数本の長尺体を挟持させると、外寸が増えてかさばって困るといったことがない。また、係止部１７と係合部１２の係止位置は不変のため、作業者によってロック（係止）位置の差が出ないため、長尺体を押さえ損なうことがなく、かつ、前記従来例の留め具のように無理やり係止させて、長尺体をきつく押さえ過ぎて長尺体に傷をつけてしまうことがない。
【００２２】
かつ、電線を保持する部分の上部を平坦に形成しているので、従来例のように背が高くなっている部分（係止部）に、作業中に作業者の手指や工具等をひっかけて長尺体固定具が外れてしまうのを防止できる。よって作業がしやすい。
【発明を実施するための最良の形態】
【００２３】
次に、本発明の実施の形態（以下、「実施例」という）について、図面に基づいて詳しく説明する。本発明実施例にかかる長尺体固定具１は、合成樹脂等の剛性と弾力性を併せ持つ材料にて形成することが望ましいが、材料はこれに限定するものではない。
【実施例１】
【００２４】
図１は本発明実施例にかかる長尺体固定具１を表す正面図である。図２は図１の斜視図、図３は図１の平面図、図４は図３のＡ−Ａ矢視断面図である。（背面図は図１と線対称に表れるため省略する。）本発明実施例にかかる長尺体固定具１は、電線等の長尺体を保持するための保持部５と、該保持５部を電気機器内の板金等の取り付け対象物に固定する手段である固定脚部２と、フタ部６が一体に形成されている。まず、保持部５の底部から図の下方に向けて固定脚部２が保持部５と一体に延設されており、固定脚部２の先端から折り返すような形状で、矢じり状の逆止爪３、３がそれぞれ形成されており、逆止爪３、３の先端部の固定脚部２側にはさらに爪４が形成されている。固定脚部２の保持部５との付け根部分にはガタツキ防止部１９が形成されている。また、保持部５の底部からは弾性係止片１４、１４が一続きに延設されている。
【００２５】
図１２は上記本発明実施例にかかる長尺体固定具１を、板金や基板等の取り付け対象物５０に取り付けた使用状態を示す斜視図、図１３は図１２の断面図である。
板金等板状の取り付け対象物５０に予め開口形成された孔５１に固定脚部２の先端を差し込むと、逆止爪３、３は固定脚部２先端の付け根部分（固定脚部２から分岐する部分）付近を支点に固定脚部２の方向へとたわむ。そして逆止爪３、３は孔５１を貫通すると、弾性復元力により元の形状に戻り、取り付け用孔５１の裏面側のエッジに逆止爪３、３の端が係止し、逆止爪３、３と一体に形成された爪４、４が取り付け用孔５１のエッジ内周側に係止する。そして、弾性支持片１４、１４の自由端１５、１５が取り付け用板材５０の表面側に圧接して、長尺体固定具１は取り付け対象物５０に固定された状態となる。図１３に示すように、押圧支持片１４、１４は取り付け対象物５０の厚みによって押されて、上方向（保持部５側）へたわみ、本体材料の合成樹脂の性質である弾性復元力により元の形状に戻ろうとする力が働くため、取り付け対象物５０を常に圧接し、長尺体固定具１を支える役割を果たす。また、ガタツキ防止部１９が取り付け対象物５０の孔５１を充填して塞ぐ。ガタツキ防止部１９の外周の形状と孔５１は、嵌合するよう予めサイズを合わせた形状に形成してある。
以上により、長尺体固定具１は押圧支持片１４、１４が保持部５側にたわむことができる限界までは、取り付け対象物５０の厚みの変化に対応することができ、かつ取り付け用板材に長尺体固定具１をしっかりと固定し、どの方向に外力が加えられてもガタついたり外れたりすることを防止することができる。
【００２６】
保持部５の内側は凹状の略円弧状に形成されており、さらに、その中央部の端から端まで、保持部５の長手方向と平行な帯状に、断面が略アーチ形状の畝状にふくらんだ第一凸部７が形成されている。
保持部５の一方の端からは、フタ部６が、保持部５からヒンジ部８を介してひと続きに形成されており、フタ部６の端から一体に開閉操作片１１が延設されている。開閉操作片１１は弾性屈曲部１３を頂点とする略Ｖ字状に形成されていて、フタ部６との付け根部分には係止凸部２３、２３が形成され、開閉操作片１１の自由端付近には、係止部１２が鉤型状に形成されている。
【００２７】
保持部５とフタ部６との間には、ヒンジ部分８が他の部分より薄肉状に一体形成されている。このヒンジ部分８は他の部分よりも比較的薄肉状に形成されているため、フタ部６や開閉操作片１１を手指や工具等で押すと、ヒンジ部分８が撓んで屈曲し、フタ部６はヒンジ部分８を基点に、図７に示す矢印Ｆ方向へ略円弧を描くように移動し、ヒンジ部分８はヒンジの役割を果たす。
【００２８】
フタ部６の内側（保持部５側）には、ヒンジ部分８から分岐して弾性押圧片９、９が薄肉状に一体形成されている。この弾性押圧片９は、保持部５の内側に向かって凸状に略円弧を描いて湾曲した形状であり、弾性押圧片９の他端はフタ部６の内側の、開閉操作片１１の付け根の近くに繋がっている。フタ部６の内側の弾性押圧片９、９の間には、フタ部９の長手方向に平行に第二凸部１０がアール状に隆起して設けられていて、該第二凸部１０はその中央部分から、フタ部６の短手方向に左右に分岐して、略十字形状に形成されている。該第二凸部１０によって補強されているため、フタ部６は長尺体１８を保持した時でも、ねじれたり反ったりすることがない。フタ部６自体を単なる厚肉の板状に形成してももちろん構わないが、これよりも、強度を保ったままでヒケや反りの発生等の問題を防ぎ、材料を節約できるので、第二凸部を形成した本実施例の形状がより理想的であるといえる。
【００２９】
前記フタ部６内側の、開閉操作片１１の付け根部分から、第二凸部１０の端との間には、薄板状のリブ２０が突出して形成されている。リブ２０の形状は板状でも良いが、図１５にて示すように、保持部側の側面をアール形状に形成するとさらに良い。そして、保持部５には、フタ部６を閉めた状態にすると、該リブ２０が嵌まり込む凹形状に溝２１が形成されている。
【００３０】
図５は図１に示した本発明実施例にかかる長尺体固定具１の使用状態（長尺体を挟持している状態）を示す正面図である。保持部５のもう一方の端には、前記フタ部６の開閉操作片１１を挿入するための挿入口１６が開口形成されていて、挿入口１６の端部には、フタ部６の係止部１２を係止させるための係止部１７が略アーチ状に形成されている。挿入口１６内側の、保持部５との付け根部分には係止凹部２４が窪み状に形成されていて、この係止凹部２４には、フタ部６の開閉操作片１１に形成された係止凸部２３、２３が引っかかり係止する形状になっている。
【００３１】
本発明実施例にかかる長尺体固定具１は、長尺体１８を保持する前は図１や図１２に示すように、フタ部６を開いた状態になっている。
これに電線等の長尺体１８を保持させる場合、保持部５本体の内側、第一凸部７の上に長尺体１８を配置し、開閉操作片１１またはフタ部６の外側を指や工具等で矢印Ｆ方向へ押して、フタ部６を、ヒンジ部分８を軸にして弧を描くように図７に示す矢印Ｆ方向へと動かす。このときのフタ部６の動きを、時間を追って表すと、図７、図８、図９、図１０の順で図示される。
【００３２】
続けて、図１１に示すように開閉操作片１１の弾性屈曲部１３を本体５の挿入口１６に押し込むと、開閉操作片１１は挿入口１６の端の係止部１７部分に押されて、長尺体固定具１の材料である合成樹脂等の性質により、略Ｖ字形状に形成されている弾性屈曲部１３の自由端が、フタ部本体側に近づく方向にたわむ。弾性屈曲部１３が挿入口１６に完全に入ると、弾性屈曲部１３は弾性復元して元の形状に戻るので、係止部１２が係止部１７に係止してロック状態になる。係止部１２が係止部１７に係止する際には、カチッというクリック音が発生し、開閉操作片１１を操作している作業者の手指にも節度感が感じられるので、作業者は作業終了を音と節度感にて感知することができる。
以上のような手順で長尺体固定具１を図１１に示す状態にすると、長尺体固定具１は保持部５とフタ部６の間に長尺体１８を挟持する。
【００３３】
フタ部６内側に、凸状の略円弧状に形成されている弾性押圧片９、９は、他の部分より薄肉状に形成されているので、上記のように弾性押圧片９、９と保持部５本体との間に長尺体１８を挟持したときは、弾性押圧片９、９は長尺体１８の太さ分、フタ部６本体側へとわずかに撓んだ状態で長尺体１８に接する。
【００３４】
弾性押圧片９、９と保持部５の、長尺体１８を挟持するための部分は略円弧状に形成されているので、ロック時に長尺体１８を押圧して挟持する力は、どの位置で挟持したとしても均一である。
【００３５】
長尺体固定具１が長尺体１８を挟持しているとき、弾性押圧片９、９は保持部６本体部分内側に長尺体１８を押さえつけ、かつ、保持部６内側の中央には、図２や図６に示すように、略アーチ状に盛り上がった第一凸部７が帯状に形成されているので、挟持されている長尺体１８は図６に示すように、その軸方向（長手方向）から見ると、弾性押圧片９、９の間に入った部分が略アーチ形状を描いた状態で長尺体固定具１に挟持される。
これにより、何らかの外力が加わるなどして長尺体１８が軸方向へ引っ張られたとしても、長尺体１８の略アーチ形状になっている部分が、弾性押圧片９と９の間にひっかかるため、長尺体１８が軸方向（長尺体の長手方向）へ滑ってずれることを防止できる。その上、弾性押圧片９、９は長尺体１８を挟持する際、長尺体１８を押さえつけることによってフタ部６方向と、図６に示す矢印Ｇ方向へとたわむが、長尺体固定具１の本体素材である合成樹脂等の性質である弾性復元力によって、元の略アーチ形状に戻ろうとする力が働く。これにより、長尺体１８は弾性押圧片９、９により矢印Ｇの反対方向へと押さえつけられる力がかかるため、長尺体１８は予期せぬ外力が加わって引っ張られた場合にも、きっちり長尺体固定具１に挟持された状態にあるため、動いたりすることがない。
【００３６】
また、前記第一凸部７は、電線等長尺体の絶縁被覆に傷をつけたり、電線自体を折り曲げて断線させてしまったりすることがないよう、角やエッジを無くして略アーチ形状に形成してある。同様の理由で、保持部５や弾性押圧片９、９のエッジ部分も、エッジを落とし丸みをつけた形状になっている。
【００３７】
図５、図６に示すように、保持する長尺体１８の本数が増えた場合は、上記と同様、弾性押圧片９、９が保持部６の本体部分内側に長尺体１８を押圧するが、弾性押圧片９、９は他の部分よりも比較的薄肉状に形成されているため、フタ部６本体側へとたわんで曲がりやすくなっている。挟持する長尺体１８の本数に合わせて弾性押圧片９、９のたわみ具合が変化するので、弾性押圧片９、９は長尺体１８に圧接し、弾性押圧片９、９に接していない長尺体１８は、弾性押圧片９、９に圧接されている長尺体１８によって圧接されている状態となる。よって多数本の長尺体も確実に弾性押圧片９、９と保持部５本体との間に挟持して確実に固定することができる。
【００３８】
本発明実施例にかかる長尺体固定具１は、ヒンジ部分に電線等の長尺体１８をかみこまない形状に形成されている。以下詳しく説明する。
長尺体固定具１のヒンジ部分８に電線等の長尺体１８が入ってしまった場合、図８や９に示す状態になるが、長尺体１８を挟持するため、フタ部６をしめる方向、つまり各図に示す矢印Ｆ方向へと動かすにつれ、弾性押圧片９、９と第一凸部７との隙間（つまりヒンジ部分８内側の空間）がだんだん狭くなるため、長尺体１８は弾性押圧片９、９に押されて、凹状の略円弧状に形成された保持部５の内側を、ヒンジ部分８から図の矢印Ｅ方向へと移動して、図１０に示す状態となり、最終的に図１１に示すように、弾性押圧片９、９と保持部５との間できちんと挟持される位置へと移動する。よって本発明実施例にかかる長尺体固定具１はヒンジ部分８に長尺体１８をかみこんでしまうことがない。
【００３９】
また、本発明の長尺体固定具は前記実施例の形状に限らず、取り付け対象物への固定手段である固定脚部２の形状を変更することにより様々な場所に取り付けることができる。このとき、固定脚部２は前記第一実施例にて説明した形状でなくとも構わない。さらに固定脚部２の形状を変更するだけでなく、固定脚部２が無い形、例えば保持部５の底面を平らに形成し接着剤や両面テープ等を用いて取り付け対象物５０に固定する方法でもよい。
【図面の簡単な説明】
【００４０】
【図１】本発明実施例に係る長尺体固定具の正面図である。
【図２】図１の右側面図である。
【図３】図１の左側面図である。
【図４】図１の平面図である。
【図５】本発明実施例にかかる長尺体固定具の使用状態を表す正面図である。
【図６】図５のＣ−Ｃ断面図である。
【図７】本発明実施例にかかる長尺体固定具の使用状態を表す正面図である。
【図８】本発明実施例にかかる長尺体固定具の使用状態を表す正面図である。
【図９】本発明実施例にかかる長尺体固定具の使用状態を表す正面図である。
【図１０】本発明実施例にかかる長尺体固定具の使用状態を表す正面図である。
【図１１】本発明実施例にかかる長尺体固定具の使用状態を表す正面図である。
【図１２】本発明実施例にかかる長尺体固定具の使用状態を表す斜視図である。
【図１３】本発明実施例にかかる長尺体固定具の使用状態を表す断面図である。
【図１４】従来例を表す正面図である。
【図１５】本発明実施例にかかる長尺体固定具を表す正面図である。
【図１６】本発明実施例にかかる長尺体固定具を表す正面図である。
【図１７】本発明実施例にかかる長尺体固定具を表す正面図である。
【符号の説明】
【００４１】
１    長尺体固定具
２    固定脚部
３    逆止爪
４    爪
５    保持部
６    フタ部
７    第一凸部
８    ヒンジ部分
９    弾性押圧片
１０  第二凸部
１１  開閉操作片
１２  係合部
１３  弾性屈曲部
１４  弾性支持片
１５  自由端
１６  挿入口
１７  係止部
１８  長尺体
１９  ガタツキ防止部
２０  リブ
２１  溝
２３  係止凸部
２４  係止凹部
２６  Ｖ字部分の内側
５０  取り付け対象物
５１  孔
【図１】
2006187095.tif 000003
【図２】
2006187095.tif 000004
【図３】
2006187095.tif 000005
【図４】
2006187095.tif 000006
【図５】
2006187095.tif 000007
【図６】
2006187095.tif 000008
【図７】
2006187095.tif 000009
【図８】
2006187095.tif 000010
【図９】
2006187095.tif 000011
【図１０】
2006187095.tif 000012
【図１１】
2006187095.tif 000013
【図１２】
2006187095.tif 000014
【図１３】
2006187095.tif 000015
【図１４】
2006187095.tif 000016
【図１５】
2006187095.tif 000017
【図１６】
2006187095.tif 000018
【図１７】
2006187095.tif 000019